(57)【要約】【課題】回転ドア装置において、仕切り体を仕切り姿勢と折り畳み姿勢とに保持する姿勢保持手段を設けるにあたり、仕切り体が不用意に折り畳み姿勢に一気に変姿することがないようにする。【解決手段】回転支軸３と仕切り体６とのあいだに、仕切り体６を、放射方向を向く仕切り姿勢と、該仕切り姿勢から揺動した折り畳み姿勢とに保持する姿勢保持手段７を設けるにあたり、前記姿勢保持手段７には、仕切り体６の仕切り姿勢から折り畳み姿勢への変姿作動を制動する制動手段を設ける構成とする。【選択図】図４
2007297795.tif 000002
【特許請求の範囲】
【請求項１】
屋内外の出入り口部が形成された筒壁体の軸芯部に、複数の仕切り体の内径側端部が連結された回転支軸を回転自在に支持し、回転支軸の回転に伴い仕切り体が出入り口部の通風を遮断しながら開閉するよう構成した回転ドア装置において、前記回転支軸と仕切り体とのあいだに、仕切り体を、放射方向を向く仕切り姿勢と、該仕切り姿勢から揺動した折り畳み姿勢とに姿勢保持する姿勢保持手段を設けるにあたり、前記姿勢保持手段には、仕切り体の仕切り姿勢の保持を解除されてから折り畳み姿勢に変姿する変姿作動の過程で、該変姿作動に制動を付与する制動手段が設けられている回転ドア装置。
【請求項２】
制動手段は、仕切り体の仕切り姿勢の保持を解除されてから初期の変姿作動では制動しないように構成されている回転ドア装置。
【請求項３】
制動手段は、仕切り体が折り畳み姿勢に近付くほど制動力が大きくなるように構成されている請求項１または２に記載の回転ドア装置。
【請求項４】
姿勢保持手段を、係合体と、前記係合体が弾圧状、かつ、係脱自在に係合する係合受け体とを備えて構成するものとし、係合体と係合受け体とのあいだに制動手段が設けられている請求項１乃至３の何れか一項に記載の回転ドア装置。
【請求項５】
回転支軸側に係合体を設け、仕切り体側に係合受け体を設けるものとし、前記係合受け体の円弧状外周面に、仕切り体の仕切り姿勢で係合体が係脱自在に係合する係合凹部を形成し、仕切り体の変姿作動の過程で係合体が円弧状外周面に弾圧状に当接する構成とし、制動手段は、係合受け体の円弧状外周面に係合体が係脱自在に係合する少なくとも一つの制動用凹部を形成することにより構成されている請求項４に記載の回転ドア装置。
【請求項６】
制動手段は、係合受け体の円弧状外周面の外径を、仕切り体が折り畳み姿勢に近付くほど大きくなるように構成されている請求項４または５に記載の回転ドア装置。
【発明の詳細な説明】
【技術分野】
【０００１】
本発明は、ビルや病院等の建築物の開口部に設けられる回転ドア装置の技術分野に属するものである。
【背景技術】
【０００２】
一般に、この種回転ドア装置のなかには、屋内外の出入り口部が形成された筒壁体の軸芯部に、複数の仕切り体が放射方向に延出するよう連結された回転支軸を回転自在に支持することにより構成し、回転支軸を回転中心として回転する複数の仕切り体により、筒壁体の出入り口部を常に閉鎖状態として、屋内外方向の通風を遮断しながら出入り口部の開閉するように構成したものがある。このような回転ドア装置において、緊急事態や異常事態が発生したような場合に、回転支軸に対し、仕切り体を屋内外方向（出入り方向）に向けて折り畳み自在な構成とし、出入り口部を連通状に開放できるようにすることが提唱されている。このように構成するには、回転支軸と仕切り体とのあいだに、仕切り体を放射方向に仕切る仕切り姿勢と、仕切り姿勢から揺動した折り畳み姿勢とに変姿自在とするとともに、各姿勢をそれぞれ保持する姿勢保持手段を設けるように構成することが求められる。
【０００３】
前記姿勢保持手段として、仕切り体側に複数の係合凹部が形成された係合受け体を設ける一方、回転支軸側に前記複数の係合凹部の何れか一つに選択的に弾圧係合する係合体を設けるように構成したものが提唱されている。
【特許文献１】特開２００２−２８５７６４
【発明の開示】
【発明が解決しようとする課題】
【０００４】
前記従来のものは、仕切り体側に設けられる係合受け体は、円板形状の外周面に、仕切り体が仕切り姿勢となることで係合体に係合する仕切り姿勢用係合凹部と、仕切り体が折り畳み姿勢となることで係合体に係合する折り畳み姿勢用係合凹部とが形成され、これら凹部のあいだは所定の回転角度を存して形成されたものとなっている。そして、仕切り体は、押し操作される等の負荷を受けることにより、仕切り姿勢と折り畳み姿勢とのあいだを変姿するが、このとき、係合体は、仕切り姿勢用係合凹部から抜け出すことで折り畳み姿勢の保持から解除され、円板形状の円弧状外周面を相対的に転動して折り畳み姿勢用係合凹部に落ち込み、これによって、仕切り体を折り畳み姿勢に保持されるように構成されている。さらに、この姿勢保持手段には、仕切り体を仕切り姿勢にロックするロック手段が設けられており、通常の回転ドア装置の作動時では、仕切り体が不用意に折り畳み姿勢にならないようにロックされているが、前記ロック手段が解除された状態では、仕切り体に負荷が作用すれば姿勢変姿が可能な状態に構成されている。このため、例えば回転ドア装置の設置時等においてロック解除状態になっているときに、仕切り体に強風が吹き付けたような場合では、仕切り体が仕切り姿勢の保持状態から解除されると、係合体が円弧状外周面を転動する際には仕切り体が何ら制動を受けることがないので、一気に折り畳み姿勢に揺動変姿してしまうことがあり、このように、設置作業者が意図しない状態で仕切り体が大きく揺動すると不測の事態が生じることも想定されて問題があり、ここに本発明の解決すべき課題がある。
【課題を解決するための手段】
【０００５】
本発明は、上記の如き実情に鑑みこれらの課題を解決することを目的として創作されたものであって、請求項１の発明は、屋内外の出入り口部が形成された筒壁体の軸芯部に、複数の仕切り体の内径側端部が連結された回転支軸を回転自在に支持し、回転支軸の回転に伴い仕切り体が出入り口部の通風を遮断しながら開閉するよう構成した回転ドア装置において、前記回転支軸と仕切り体とのあいだに、仕切り体を、放射方向を向く仕切り姿勢と、該仕切り姿勢から揺動した折り畳み姿勢とに姿勢保持する姿勢保持手段を設けるにあたり、前記姿勢保持手段には、仕切り体の仕切り姿勢の保持を解除されてから折り畳み姿勢に変姿する変姿作動の過程で、該変姿作動に制動を付与する制動手段が設けられている回転ドア装置である。
請求項２の発明は、制動手段は、仕切り体の仕切り姿勢の保持を解除されてから初期の変姿作動では制動しないように構成されている回転ドア装置である。
請求項３の発明は、制動手段は、仕切り体が折り畳み姿勢に近付くほど制動力が大きくなるように構成されている請求項１または２に記載の回転ドア装置である。
請求項４の発明は、姿勢保持手段を、係合体と、前記係合体が弾圧状、かつ、係脱自在に係合する係合受け体とを備えて構成するものとし、係合体と係合受け体とのあいだに制動手段が設けられている請求項１乃至３の何れか一項に記載の回転ドア装置である。
請求項５の発明は、回転支軸側に係合体を設け、仕切り体側に係合受け体を設けるものとし、前記係合受け体の円弧状外周面に、仕切り体の仕切り姿勢で係合体が係脱自在に係合する係合凹部を形成し、仕切り体の変姿作動の過程で係合体が円弧状外周面に弾圧状に当接する構成とし、制動手段は、係合受け体の円弧状外周面に係合体が係脱自在に係合する少なくとも一つの制動用凹部を形成することにより構成されている請求項４に記載の回転ドア装置である。
請求項６の発明は、制動手段は、係合受け体の円弧状外周面の外径を、仕切り体が折り畳み姿勢に近付くほど大きくなるように構成されている請求項４または５に記載の回転ドア装置である。
【発明の効果】
【０００６】
請求項１の発明とすることにより、突風などにより仕切り体が仕切り姿勢から折り畳み姿勢に一気に変姿するような不測の事態を防止することができる。
請求項２の発明とすることにより、仕切り体の変姿に制動力を付与して変姿作動を制動するものでありながら、出入り口部に障害物が挟み込まれたような場合では円滑に仕切り体が変姿して障害物に対する負荷を小さくできる。
請求項３の発明とすることにより、仕切り体が不用意に折り畳み姿勢にまで変姿してしまうようなことを防止できる。
請求項４の発明とすることにより、姿勢保持装置における制動手段の構造の簡略化が図れる。
請求項５の発明とすることにより、姿勢保持装置における制動手段を、特別な部材を必要とすることなく構成でき、しかも、コンパクト化を図れる。
請求項６の発明とすることにより、姿勢保持装置における制動手段の制動作動を確実にすることができる。
【発明を実施するための最良の形態】
【０００７】
つぎに、本発明の実施の形態について、図面に基づいて説明する。
図面において、１は建築物の開口部に設けられる回転ドア装置であって、該回転ドア装置１を構成するべく開口部に建付けられる円筒状の筒壁体２には、直径方向に対向して屋内外二箇所に出入り口部２ａ、２ｂがそれぞれ開設されており、これら出入り口部２ａ、２ｂが屋内外の出入り口部となっている。３は筒壁体２と同芯状に配される回転支軸であり、本実施の形態の回転支軸３は平面視で略三角形状に形成されている。前記回転支軸３の軸芯部には、上下方向に突出する支軸３ａ、３ｂがそれぞれ一体的に設けられており、これら支軸３ａ、３ｂを、出入り口部の天井側に配された軸受部４、床部側に配された軸受部５とによりそれぞれ軸承することで回転自在に支持されている。
【０００８】
さらに、前記回転支軸３の三角形状の各コーナー部には、三枚の仕切り体６の内径側端部（放射方向を向く仕切り姿勢の仕切り体６を基準とする内径側端部）が支持されるが、各仕切り体６は、上側部位は、本発明が実施された姿勢保持手段に相当する姿勢保持装置７を介して支持されている。尚、仕切り体６の下側部位については汎用の支持手段８を介して支持されており、ここでの説明は省略する。このように、仕切り体６は、これら姿勢保持装置７および支持手段８を介して回転支軸３に連結されることにより、回転支軸３から外径方向に突出して放射方向を向く仕切り姿勢と、屋内外方向を向く折り畳み姿勢とに変姿自在に連結されている。
そして、天井側には回転支軸３には、図示しない電動駆動手段が連動連結されており、電動駆動手段を駆動することにより、仕切り姿勢となった三枚の仕切り体６が、回転支軸３とともに平面視で反時計回り方向に回転し、出入り口部２ａ、２ｂの通風を遮断しながら、出入り口部２ａ、２ｂを自動的に開閉するように構成されている。
【０００９】
さて、前記姿勢保持装置７は、各仕切り体６上端部の内径側端部と回転支軸３の一つのコーナー部上側部位とのあいだにそれぞれ介装されている。これら各姿勢保持装置７は、略Ｌ字形状の仕切り体取付け片９を備えて構成され、前記仕切り体取り付け片９を、仕切り体６上端部の内径側コーナー部に螺子止め等の固定手段により固着することで、姿勢保持装置７と仕切り体６との一体化がなされるように設定されている。そして、仕切り体取付け片９の上側片９ａに、上下方向を向く仕切り体支軸１０の下端部が一体的に設けられている。
【００１０】
一方、１１は回転支軸３側に固定される回転支軸取り付け板であって、該回転支軸取り付け板１１の上部には支持板１２が一体的に設けられるが、回転支軸取り付け板１１と支持板１２とのあいだは、空隙部Ｓ１を存して固定することができるように構成されており、これによって、支持板１２の上下方向の位置調整が容易にできるように設定されている。さらに、回転支軸取り付け板１１と支持板１２とには、上下方向に貫通する貫通孔１１ａ、１２ａが穿設されており、これら貫通孔１１ａ、１２ａを、前記仕切り体６側の仕切り体支軸１０の上側部位が上方に向けて貫通し、これら貫通孔１１ａ、１２ａにそれぞれ配された軸受１１ｂ、１２ｂにより回転自在に支持されている。
尚、１１ｃは、回転支軸側取付け板１１の下面に一体固着された補助プレートである。
【００１１】
さらに、前記支持板１２には、仕切り体６を仕切り姿勢にロックするロック手段Ｒが設けられている。前記ロック手段Ｒは、本実施の形態では電磁クラッチで構成されており、スイッチの切換えに基づいて、仕切り体６と回転支軸３とが一体回転するよう一体化し、後述するように仕切り体６を仕切り姿勢にロックするロック状態と、仕切り体６と回転支軸３とが相対的な回転（揺動）が自在となるロック解除状態とに切り換えるように構成されている。
前記ロック手段Ｒは、支持板１２に一体的に固定されるリング状の第一クラッチプレート１３と、該第一クラッチプレート１３に対して上下方向に離接自在に配され、回転支軸３と一体化される第二クラッチプレート１４とを備えて構成されている。これら第一、第二クラッチプレート１３、１４は、軸芯部に位置して貫通状の内筒孔１３ａ、１４ａが形成されるが、これら内筒孔１３ａ、１４ａは、前記各貫通孔１１ａ、１２ａと連通状に形成されている。そして、支持板１２の上面から上方に突出する仕切り体支軸１０は、第一クラッチプレート貫通孔１３ａに対しては回転自在に貫通し、第二クラッチプレート貫通孔１４ａに対しては周回り方向に回り止め状となって一体回転するが、軸方向への移動は自在な状態で貫通している。
【００１２】
そして、前記第一クラッチプレート１３の上面、および、これに対向する第二クラッチプレート１４の下面は、それぞれクラッチ面１３ｂ、１４ｂに設定され、放射方向を向く細溝が周回り方向に複数形成されており、これら、クラッチ面１３ｂ、１４ｂ同士が当接して細溝同士が係合する状態では、ロック状態（クラッチ続状態）となって第一、第二クラッチプレート１３、１４が一体化された状態となるように設定されている。一方、スイッチの切換えに基づいて、第一、第二クラッチ面１３ｂ、１４ｂ同士が上下方向に離間する状態では、ロック解除状態（クラッチ断状態）となって第一、第二クラッチプレート１３、１４が相対回転可能となるように設定されている。
因みに、ロック手段は、前記電磁クラッチ装置に限定されることはなく、回転支軸３に対し仕切り体６を仕切り姿勢にロックする構成であれば手動式に構成することもできる。
【００１３】
さらに、第二クラッチプレート１４上面から突出する仕切り体支軸１０の先端には、本発明の係合受け体に相当する円板状のカムプレート１５が設けられるが、該カムプレート１５は、ロック手段Ｒがロック状態からロック解除状態に切り換わるのを許容するために、第二クラッチプレート１４とのあいだに所定間隙Ｓ２を存し、仕切り体支軸１０に対して周回り方向、軸方向ともに移動規制され、しかも、カムプレート１５の上面と仕切り体支軸１０の上面とが面一状となる状態で配設されている。
また、前記カムプレート１５は、仕切り体６の板厚方向中心線上で、かつ、内径端部側に位置する外周面（円弧状外周面）には、本発明の係合凹部に相当し、後述する係合ローラ１６が係脱自在に係合する仕切り姿勢用凹部１５ａが形成されている。さらに、カムプレート１５の外周面には、仕切り姿勢用凹部１５ａを基準とし、所定の角度間隔を存した周回り方向両側部位に位置して、前記係合ローラ１６が係脱自在に係合する二つの折り畳み姿勢用凹部１５ｂが形成されている。
さらに、前記カムプレート１５は、仕切り姿勢用凹部１５ａを基準として周回り方向両側に形成された一対の折り畳み姿勢用凹部１５ｂとのそれぞれのあいだの外周面に、前記係合ローラ１６が係脱自在に係合する第一、第二、第三制動用凹部１５ｃ、１５ｄ、１５ｅが形成されている。この場合に、カムプレート１５は、仕切り姿勢用凹部１５ａから第一制動用凹部１５ｃとのあいだに形成される第一外周面Ｆ１の外径寸法は、仕切り体支軸１０の軸芯部位Ｍを径中心として一定であるが、第一制動用凹部１５ｃから第二制動用凹部１５ｄに至る第二外周面Ｆ２は第二制動用凹部１５ｄ側ほど外径が大きく、第二制動用凹部１５ｄから第三制動用凹部１５ｅに至る第三外周面Ｆ３は第三制動用凹部１５ｅ側ほど外径が大きく、そして、第三制動用凹部１５ｅから折り畳み姿勢用凹部１５ｂに至る第四外周面Ｆ４は折り畳み姿勢用凹部１５ｂ側ほど外径が大きくなるように設定されている。しかも、第二外周面Ｆ２が第一外周面Ｆ１より大径に、第三外周面Ｆが第二外周面Ｆ２より大径に、第四外周面Ｆ４が第三外周面Ｆ３より大径になるようそれぞれ設定されている。
【００１４】
一方、前記支持板１２には、第一、第二クラッチプレート１３、１４の内径側に隣接し、矩形状に枠組み形成された支持架台１７が設けられるが、該支持架台１７は、長手方向を筒壁体２の径方向に直交させる状態で設けられている。前記支持架台１７を構成する下片１７ａには径方向を向く長孔１７ｂが穿設されており、該長孔１７ｂに挿通した螺子１７ｃを支持板１２に螺合することで、支持架台１７は支持板１２に対して径方向移動調整自在に取り付けられている。また、支持架台１７の上片１７ｄには、長手方向一端部に位置し、上下一対の長尺体である第一、第二支持アーム１８、１９が枢軸１９ａを介して枢支されており、これら第一、第二支持アーム１８、１９は、枢軸１９ａを支点として水平方向への揺動が自在な状態に設けられている。そして、第一、第二支持アーム１８、１９の上下方向に形成された空隙部に、長手方向中間部に位置して支軸１６ａを介して前記係合ローラ１６が回転自在に支持されており、該係合ローラ１６が、前記カムプレート１５の外周面に対して内径側から対向するように設定されている。
【００１５】
さらに、第一、第二支持アーム１８、１９の長手方向他端部には、圧縮弾機２０ａを用いて構成された弾機ユニット２０が連結されている。前記弾機ユニット２０は、支持板１２に固定される固定側ブラケット２０ｂと、該固定ブラケット２０ｂに移動自在に貫通状に支持され、基端部が第一、第二支持アーム１８、１９の長手方向他端部に連結される伸縮自在な可動ロッド２０ｃと、可動ロッド２０ｃの先端側に移動自在に貫通支持される可動側ブラケット２０ｄとを備えて構成され、可動側、固定側ブラケット２０ｄ、２０ｂ間に位置する可動ロッド２０ｃに前記圧縮弾機２０ａを外嵌させ、可動ロッド２０ｃの先端をダブルナット２０ｅにより固定することにより圧縮弾機２０ａに付勢力を付与し、第一、第二支持アーム１８、１９を外径側に向けて付勢するように設定されている。尚、圧縮弾機２０ａの付勢力の大きさは、ダブルナット２０ｅの螺合量に基づいて調整できるように設定されている。
ここで、２０ｆは、可動ロッド２０ｃの基端部と第一、第二支持アーム１８、１９の長手方向他端部とのあいだの連結体であって、該連結体２０ｆは、可動ロッド２０ｃ基端部および第二支持アーム１８、１９の長手方向他端部に対して揺動自在に連結されている。
【００１６】
そして、弾機ユニット２０により付勢された係合ローラ１６は、前記カムプレート１５が仕切り体６とともに回転することに伴い、外周面に形成された前記各係合凹部１５ａ、１５ｂ、１５ｃ、１５ｄ、１５ｅの何れかに対向することにより、弾機ユニット２０の付勢力に基づいて弾圧状に係合するように設定されている。ここで、仕切り体６は、係合ローラ１６が仕切り姿勢用係合凹部１５ａに弾圧係合する状態で、回転支軸３から放射方向を向く仕切り姿勢となり、折り畳み姿勢用係合凹部１５ｂに弾圧係合する状態で、仕切り姿勢から揺動した折り畳み姿勢となるように設定されている。
尚、折り畳み姿勢用凹部１５ｂは、係合ローラ１６との相対回転方向先端側が大きく抉れた変形状の凹溝部に形成されており、係合ローラ１６が折り畳み姿勢用凹部１５ｂに係合した場合では、係合ローラ１６が折り畳み姿勢用凹部１５ｂから前記相対回転方向先端側へ抜け出すこと、即ち、仕切り体６が屋内外方向（出入り方向）を向く姿勢を越えて回転揺動するようなことが防止される設定となっている。
【００１７】
このように構成された姿勢保持装置７は、係合ローラ１６が仕切り姿勢用凹溝１５ａに弾圧係合している状態において、ロック手段Ｒの第一、第二クラッチプレート１３、１４とがロック状態（クラッチ続状態）となる、即ち、カムプレート１５（仕切り体６）と支持板１２（回転支軸３）とが一体化されるように設定されており、これによって、仕切り体６は、仕切り姿勢となった状態で回転支軸３に一体的に保持される状態となって、出入り口部２ａ、２ｂを閉鎖するように設定されている。
【００１８】
これに対し、スイッチの切り換えがなされて、ロック手段Ｒの第一、第二クラッチプレート１３、１４とがロック解除状態（クラッチ断状態）となっている状態では、カムプレート１５（仕切り体６）と支持板１２（回転支軸３）との一体化が解除され、この状態において、仕切り体６側に押し操作等の操作があった場合に、仕切り体６は、回転支軸３に対し、仕切り体支軸１０を軸中心とする水平方向の揺動が可能となるように設定されている。
そして、ロック手段Ｒのロック解除状態で仕切り体６が押し操作されると、弾機ユニット２０の付勢力に抗して第一、第二支持プレート１８、１９がカムプレート１５から離れる方向に水平揺動することにより、係合ローラ１６は、仕切り姿勢用係合凹部１５ａから抜け出して、仕切り体６とともに一体回転（揺動）するカムプレート１５の外周面に乗り上げ、仕切り体６の回転に伴い前記仕切り姿勢用係合凹部１５ａと第一制動用凹部１５ｃとのあいだの第一外周面Ｆ１を転動して、隣接する第一制動用凹部１５ｃに弾圧係合するように設定されている。尚、この状態においては、係合ローラ１６は、外径寸法が一定の第一外周面Ｆ１を転動するので、カムプレート１５が回転する作動、即ち、仕切り体６が回転揺動する作動に対して制動作動（減速作動）することはなく、予め設定される弾機ユニット２０の付勢力に抗する作動力で仕切り体６が回転揺動するように設定されている。
【００１９】
前記状態（係合ローラ１６が第一制動用凹部１５ｃに弾圧係合する状態）において、仕切り体６を回転揺動（変姿）させる負荷があった場合に、係合ローラ１６は、弾機ユニット２０の付勢力に抗して第一制動用凹部１５ｃから抜け出してカムプレート１５の第二外周面Ｆ２に乗り上げて転動する。このとき、第二外周面Ｆ２は第一外周面Ｆ１より大径となっているため、前記負荷（弾機ユニット２０の付勢力に抗する力）が、仕切り姿勢用凹部１５ａから第一外周面Ｆ１に抜け出すときよりも大きい力がないと第二外周面Ｆ２に乗り上げることができないように設定されており、該構成が変姿作動の制動作動に相当し、これによって、仕切り体６の変姿作動が制動されるように設定されている。この状態で、さらなる負荷が作用した場合に、係合ローラ１６が第二外周面Ｆ２を転動して第一制動用凹部１５ｃに隣接する第二制動用凹部１５ｄに弾圧係合するが、このとき、第二外周面Ｆ２が次第に大径になることから、弾機に抗する力として次第に大きい力が必要となり、もって、ここにおいても仕切り体６の変姿作動を制動するように設定されている。そして、さらにこの状態において負荷が作用すると、係合ローラ１６が第二制動用凹部１５ｄから第三外周面Ｆ３に乗り上げるが、このときも、前記と同様に、第二外周面Ｆ２より第三外周面Ｆ３の方が大径であるが故に、大きな負荷が必要となって仕切り体６の変姿作動を制動し、第三外周面Ｆ３を第三制動用凹部１５ｅに向けて転動することでも制動され、第三制動用凹部１５ｅに落ち込んだ後、第三外周面Ｆ３よりも大径な第四外周面Ｆ４に乗り上げるためにさらなる制動がなされ、第四外周面Ｆを折り畳み姿勢用凹部１５ｂに向けて転動することにより再び制動がなされ、しかる後、折り畳み姿勢用凹部１５ｂに落ち込むように構成されている。
【００２０】
このように、仕切り体６の変姿作動は、係合ローラ１６が仕切り姿勢用凹部１５ａから、第一、第二、第三制動用凹部１５ｄ、１５ｅとの係脱を繰り返して、段階的、しかも、次第に大きな制動がなされた状態で折り畳み姿勢用凹部１５ｂに至るように設定されており、係合ローラ１６がこれら凹部１５ｃ、１５ｄ、１５ｅから抜け出すために弾機ユニット２０に抗する力が必要となることに基づいて、カムプレート１５の回転作動（仕切り体６の回転揺動であって、仕切り姿勢から折り畳み姿勢への変姿作動）に対して制動力が付与されて制動するように設定されている。
【００２１】
さらにこのものでは、これら第一、第二、第三凹部、折り畳み姿勢用凹部１５ｃ、１５ｄ、１５ｅ、１５ｂのあいだに位置する第二、第三、第四外周面Ｆ２、Ｆ３、Ｆ４が次第に大径となるように形成されているので、係合ローラ１６がこれらの外周面を転動することに基づいて、カムプレート１５の回転作動（仕切り体６の回転揺動）を制動することができるように設定されている。これによって、仕切り体６の変姿作動は、第一制動用凹部１５ｃまでの初期の変姿作動については制動されないが、それ以降は、第一、第二、第三制動用凹部１５ｃ、１５ｄ、１５ｅから第二、第三、第四外周面Ｆ２、Ｆ３、Ｆ４に抜け出すことに基づく主となる制動と、第二、第三、第四外周面Ｆ２、Ｆ３、Ｆ４が次第に大径になることに基づく制動との両者の制動を段階的に受けながら折り畳み姿勢に変姿するように構成されている。
尚、カムプレート１５の仕切り姿勢用凹部１５ａと第一制動用凹部１５ｃとのあいだは凡そ３０度の揺動角度を存しており、仕切り体６の戸先側では大人の肩幅よりも大きな周回り長さとなっている。一方、係合ローラ１６が仕切り姿勢用凹部１５ａから第一制動用凹部１５ｃに係合するまでに要する弾機ユニット２０に抗する力は、弾機ユニット２０の付勢力に基づいたものとなっている。これによって、仕切り姿勢から、係合ローラ１６が第一制動用凹部１５ｃに変姿するまで、即ち、大人の肩幅程度の変姿は、弾機ユニット２０の付勢力に基づいたものとなって制動されない（減速力を受けることがない）ように構成されている。
【００２２】
これによって、仕切り体６の戸先と筒壁体２の出入り口部２ａまたは２ｂに障害物が挟まれたような場合に、障害物検知スイッチによる検知に伴いロック手段Ｒのスイッチを切り換えてロック解除状態となるように構成することにより、仕切り体と障害物との当接があった場合に、仕切り体６が大人の肩幅分の揺動については制動する（減速を受ける）ことなく変姿するので、出入り口部２ａ、２ｂに挟まれた障害物に制動するための制動力も含む大きな負荷が作用してしまうようなことを防止できるように構成することができる。
しかも、このものでは、仕切り体６が折り畳み姿勢に近付くに従い、大きな制動（減速力）を受けるように構成されていて、例えば、ロック手段Ｒのロック解除状態で強風を受けたような場合に、仕切り体６が折り畳み姿勢にまで一気に変姿するようなことを防止できるように構成されている。
【００２３】
また、本実施の形態の姿勢保持装置７において、前記支持板１２の上面には、支持架台１７の前後片１７ｅ、１７ｆとは所定間隙を存する状態で突片１２ｅ、１２ｆが上方に向けて突設されており、これら突片１２ｅ、１２ｆに形成された螺子孔に調整螺子２１、２２がそれぞれ螺合され、これら各調整螺子２１、２２の軸部２１ａ、２２ａ先端が、支持架台前後片１７ｅ、１７ｆに対してそれぞれ周回り方向から突当てられている。そして、支持架台１７は、下片１７ａに螺合された螺子１７ｃを緩め、前記各調整螺子２１、２２を突片１２ｅ、１２ｆに対して螺合位置を調整することにより、支持架台１７の前後方向位置を調整できるように設定され、これによって、仕切り体６の放射方向への延出状態を周回り方向に一調整できるように構成されている。尚、２１ｂ、２２ｂはそれぞれ突片１２ｅ、１２ｆに当接状に配されて緩み防止をするためのナットである。
尚、２３は支持板１２に設けられた検知スイッチであって、カムプレート１５の仕切り姿勢用凹部１５ａが係合ローラ１６に係合している（仕切り姿勢となっている）か否かを検知するように設定されている。そして、検知スイッチ２３がＯＦＦ状態のとき、即ち、仕切り体６が仕切り姿勢でない状態では、第一、第二クラッチプレート１３、１４で構成されるロック手段Ｒがロック状態（クラッチ続状態）とならないように設定されている。
【００２４】
叙述の如く構成された本発明の実施の形態において、回転ドア装置１は、回転支軸３に取り付けられる仕切り体６を、姿勢保持装置７により仕切り姿勢に保持する状態で回転作動することにより、出入り口部２ａ、２ｂにおける通風を遮断しながらの開閉を行うことができ、姿勢保持装置７のロック手段Ｒを解除状態とすることにより、仕切り体６を屋内外方向を向く折り畳み姿勢に変姿させることができる。そして、このものにおいて、姿勢保持装置７には、仕切り体６を仕切り姿勢の保持状態が解除されてから折り畳み姿勢へ変姿する過程で、前記変姿作動を制動する制動手段が設けられているので、回転ドア装置１の設置時やメンテナンス時に、作業者が意図しないときに、突風などにより仕切り体６が仕切り姿勢から折り畳み姿勢に一気に変姿して、不測の事態を招くようなことを回避することができる。
【００２５】
このように本発明が実施されたものにあっては、姿勢保持装置７に制動手段が設けられて、仕切り体６が一気に折り畳み姿勢にならないようにしているが、制動手段は、係合ローラ１６が仕切り姿勢用凹部１５ａから第一制動用凹部１５ｂに至るまでの変姿、即ち、仕切り体６の変姿が大人の肩幅よりも大きい周回り長さに相当する所定の変姿については制動手段が作用することがないので、仕切り体６の変姿作動を制動して不用意に仕切り体６が折り畳み姿勢に変姿しないように構成するものでありながら、仕切り姿勢が保持される状態を解除されてからの変姿初期段階では制動されることなく変姿するので、出入り口部に障害物が挟み込まれたような場合に、円滑に仕切り体６が回転揺動して、障害物に対する負荷を小さくすることができる。
【００２６】
そのうえ、このものでは、姿勢保持装置７は、回転支軸３側に配された係合ローラ１６を、仕切り体６側のカムプレート１５の外周面に形成された仕切り姿勢用凹部１５ａと折り畳み姿勢用凹部１５ｂとの何れかに弾圧状に係合させることによりそれぞれの姿勢に保持する構成であり、制動手段は、係合ローラ１６とカムプレート１５とのあいだに設けてカムプレート１５の回転を制動する構成としたので、構造の簡略化を図れる。
【００２７】
さらに、このものでは、制動手段として、カムプレート１５の外周面に第一、第二、第三制動用凹部１５ｃ、１５ｄ、１５ｅを形成する構成としたので、構造が簡単で、しかも、特別な部材を必要とすることがなく、コンパクト化を図ることができる。
【００２８】
また、このものでは、第一、第二、第三制動用凹部１５ｃ、１５ｄ、１５ｅを設けるとともに、これらのあいだの外周面、さらには、第三制動用凹部１５ｅと折り畳み姿勢用凹部１５ｂとのあいだの外周面の外径を次第に大きくなるように形成して制動する構成としたので、さらなる制動を実現することができる。
【００２９】
尚、本発明は前記実施の形態に限定されないことは勿論であって、前記第一の実施の形態では、係合受け体に形成される仕切り姿勢用凹部と折り畳み姿勢用凹部とのあいだに少なくとも一つの制動用凹部を設けることによる制動作動と、これら凹部のあいだの外周面を次第に大径にすることによる制動作動との両者を受ける構成となっているが、何れか一方であってもよく、係合受け体の外径を一定として少なくとも一つの制動用凹部を形成する構成や、図６（Ａ）に示す第二の実施の形態のようにすることもできる。
第二の実施の形態のものは、第一の実施の形態と基本構成が同様であり、同様の構成部材については同様の符号を付すことにより説明を省略する。第二の実施の形態では、姿勢保持装置２４に設けられる制動手段としてのカムプレート２５の形状が、仕切り姿勢用凹部２５ａを基準として周回り方向両側に折り畳み姿勢用凹部２５ｂを形成し、仕切り姿勢用凹部２５ａと折り畳み姿勢用凹部２５ｂとのあいだの外径が、折り畳み姿勢用凹部２５ｂ側ほど次第に大きくなる外周面２５ｃを備えた形状となっている。
そして、この場合でも、仕切り体は、仕切り姿勢から初期の変姿では制動されることがなく、折り畳み姿勢に近付くに連れて大きく制動されるように構成され、これによって、不用意な仕切り体の変姿を防止することができることは、前記第一の実施の形態と同様である。
【００３０】
さらに、図６（Ｂ）に示す第三の実施の形態のように構成することも可能である。
尚、第三の実施の形態も、前記第一の実施の形態と基本構成が同様であり、同様の構成部材については同様の符号を付すことにより説明を省略する。第三の実施の形態では、姿勢保持装置２６に設けられる制動手段としてのカムプレート２７の形状が、仕切り姿勢用凹部２７ａを基準として周回り方向両側に折り畳み姿勢用凹部２７ｂを形成し、仕切り姿勢用凹部２７ａと折り畳み姿勢用凹部２７ｂとのあいだに、次第に大径となる段差状の第一、第二段差部２７ｃ、２７ｄが形成されたものとなっている。
そして、この場合でも、仕切り体は、仕切り姿勢から初期の変姿では制動されることがなく、折り畳み姿勢に近付くに連れて大きく制動されるように構成され、これによって、不用意な仕切り体の変姿を防止することができることは、前記第一の実施の形態と同様である。
【００３１】
また、制動手段の制動力を、折り畳み姿勢に近付くほど大きくする手法としては、前述したように、円形プレート状に形成した係合受け体の外径を折り畳み姿勢用凹部側ほど大径にすることの他に、複数形成される制動用凹部の孔径を次第に深溝状にすること、複数形成される制動用凹部の孔形を係合体が抜け出し難い孔形状となるよう、脱出側の斜面角度を次第に大きくする（急傾斜とする）こと等により実施することができる。
【図面の簡単な説明】
【００３２】
【図１】回転ドア装置の正面図である。
【図２】回転ドア装置の平面図である。
【図３】姿勢保持装置の正面図である。
【図４】図４（Ａ）、（Ｂ）はそれぞれ姿勢保持装置の平面図、断面図である。
【図５】図５（Ａ）、（Ｂ）はそれぞれ姿勢保持装置の側面図、側面図である。
【図６】図６（Ａ）、（Ｂ）はそれぞれ第二の実施の形態における姿勢保持装置の平面図、第三の実施の形態における姿勢保持装置の平面図である。
【符号の説明】
【００３３】
１    回転ドア装置
２    筒壁体
２ａ    出入り口部
３    回転支軸
６    仕切り体
７    姿勢保持装置
９    仕切り体取付け片
１０    仕切り体支軸
１２    支持板
１３    第一クラッチプレート
１５    カムプレート
１５ａ    仕切り姿勢用凹部
１５ｃ    第一制動用凹部
１６    係合ローラ
１７    支持架台
１８    第一支持アーム
２０    弾機ユニット
【図１】
2007297795.tif 000003
【図２】
2007297795.tif 000004
【図３】
2007297795.tif 000005
【図４】
2007297795.tif 000006
【図５】
2007297795.tif 000007
【図６】
2007297795.tif 000008